(57)【要約】【課題】複数の電子黒板を並べて配置したときに、十分な描画スペースを確保できるようにすること。【解決手段】第１の電子黒板は、第１の撮像部と、第１の撮像部によって撮像された映像を表示可能な第１の表示部と、第２の電子黒板と連結されたことを検出する第１の検出部と、第１の検出部によって第１の電子黒板および第２の電子黒板が互いに連結されたことが検出されると、第１の撮像部によって撮像された映像の出力先を、第１の表示部から第２の電子黒板へ切り替える切替部とを備え、第２の電子黒板は、第２の撮像部と、第２の撮像部によって撮像された映像を表示可能な第２の表示部と、第１の電子黒板と連結されたことを検出する第２の検出部と、第２の検出部によって第１の電子黒板および第２の電子黒板が互いに連結されたことが検出されると、第１の電子黒板から出力された映像を、第２の表示部に表示させる表示制御部とを備える。【選択図】図４
2019165277.tif 000002
【特許請求の範囲】
【請求項１】
第１の電子黒板および第２の電子黒板を備えた電子黒板システムであって、
前記第１の電子黒板は、
第１の撮像部と、
前記第１の撮像部によって撮像された映像を表示可能な第１の表示部と、
前記第２の電子黒板と連結されたことを検出する第１の検出部と、
前記第１の検出部によって前記第１の電子黒板および前記第２の電子黒板が互いに連結されたことが検出されると、前記第１の撮像部によって撮像された映像の出力先を、前記第１の表示部から前記第２の電子黒板へ切り替える切替部と
を備え、
前記第２の電子黒板は、
第２の撮像部と、
前記第２の撮像部によって撮像された映像を表示可能な第２の表示部と、
前記第１の電子黒板と連結されたことを検出する第２の検出部と、
前記第２の検出部によって前記第１の電子黒板および前記第２の電子黒板が互いに連結されたことが検出されると、前記第１の電子黒板から出力された映像を、前記第２の表示部に表示させる表示制御部と
を備えることを特徴とする電子黒板システム。
【請求項２】
前記表示制御部は、
前記第２の検出部によって前記第１の電子黒板および前記第２の電子黒板が互いに連結されたことが検出されると、前記第２の撮像部によって撮像された映像と、前記第１の電子黒板から出力された映像との双方を、前記第２の表示部に表示させる
を備えることを特徴とする請求項１に記載の電子黒板システム。
【請求項３】
前記表示制御部は、
前記第２の検出部によって前記第１の電子黒板および前記第２の電子黒板が互いに連結されたことが検出されると、前記第２の撮像部によって撮像された映像と、前記第１の電子黒板から出力された映像との合成映像を、前記第２の表示部に表示させる
を備えることを特徴とする請求項１に記載の電子黒板システム。
【請求項４】
前記第１の検出部および前記第２の検出部は、
前記第１の電子黒板および前記第２の電子黒板が互いに連結されたことを自動的に検出する
ことを特徴とする請求項１から３のいずれか一項に記載の電子黒板システム。
【請求項５】
撮像部と、
前記撮像部によって撮像された映像を表示可能な表示部と、
他の電子黒板が連結されたことを検出する検出部と、
前記検出部によって前記他の電子黒板が連結されたことが検出されると、前記撮像部によって撮像された前記映像の出力先を、前記表示部から前記他の電子黒板へ切り替える切替部と
を備えることを特徴とする電子黒板。
【請求項６】
撮像部によって映像を撮像する撮像工程と、
前記撮像工程において撮像された前記映像を表示部に表示させる表示工程と、
他の電子黒板が連結されたことを検出する検出工程と、
前記検出工程において前記他の電子黒板が連結されたことが検出されると、前記撮像工程において撮像された前記映像の出力先を、前記表示部から前記他の電子黒板へ切り替える切替工程と
を含むことを特徴とする表示制御方法。
【発明の詳細な説明】
【技術分野】
【０００１】
本発明は、電子黒板システム、電子黒板、および表示制御方法に関する。
【背景技術】
【０００２】
従来、複数の拠点の各々に設置された電子黒板により、複数の拠点間でいわゆるテレビ会議を行うことができる電子黒板システムが知られている。このような電子黒板システムでは、各電子黒板に設けられたカメラによって撮像された各拠点の映像を、複数の拠点間で共有することができるようになっている。また、このような電子黒板システムにおいて、大きな表示領域を得ることを目的として、複数の電子黒板を並べて配置する技術が考案されている（例えば、下記特許文献１参照）。
【発明の概要】
【発明が解決しようとする課題】
【０００３】
しかしながら、従来の電子黒板システムでは、十分な描画スペースを確保するために、複数の電子黒板を並べて配置したとしても、各電子黒板において、カメラによって撮像された映像が描画領域に重ねて表示されるため、十分な描画スペースを確保することができない。
【０００４】
本発明は、上述した従来技術の課題を解決するため、複数の電子黒板を並べて配置したときに、十分な描画スペースを確保できるようにすることを目的とする。
【課題を解決するための手段】
【０００５】
上述した課題を解決するために、本発明の電子黒板システムは、第１の電子黒板および第２の電子黒板を備えた電子黒板システムであって、第１の電子黒板は、第１の撮像部と、第１の撮像部によって撮像された映像を表示可能な第１の表示部と、第２の電子黒板と連結されたことを検出する第１の検出部と、第１の検出部によって第１の電子黒板および第２の電子黒板が互いに連結されたことが検出されると、第１の撮像部によって撮像された映像の出力先を、第１の表示部から第２の電子黒板へ切り替える切替部とを備え、第２の電子黒板は、第２の撮像部と、第２の撮像部によって撮像された映像を表示可能な第２の表示部と、第１の電子黒板と連結されたことを検出する第２の検出部と、第２の検出部によって第１の電子黒板および第２の電子黒板が互いに連結されたことが検出されると、第１の電子黒板から出力された映像を、第２の表示部に表示させる表示制御部とを備える。
【発明の効果】
【０００６】
本発明によれば、複数の電子黒板を並べて配置したときに、十分な描画スペースを確保することができる。
【図面の簡単な説明】
【０００７】
【図１】本発明の一実施形態に係る電子黒板システムのシステム構成を示す図である。
【図２】本発明の一実施形態に係るＩＷＢの外観を示す図である。
【図３】本発明の一実施形態に係るＩＷＢのハードウェア構成を示す図である。
【図４】本発明の一実施形態に係るＩＷＢの機能構成を示す図である。
【図５】本発明の一実施形態に係るＩＷＢによる処理の手順を示すフローチャートである。
【図６】本発明の一実施形態に係るＩＷＢによる処理の手順を示すフローチャートである。
【図７】本発明の一実施形態に係るＩＷＢによる映像の表示例を示す図である。
【図８】本発明の一実施形態に係るＩＷＢによる映像の表示例を示す図である。
【図９】本発明の一実施形態に係るＩＷＢによる映像の他の表示例を示す図である。
【発明を実施するための形態】
【０００８】
〔一実施形態〕
以下、図面を参照して、本発明の一実施形態について説明する。
【０００９】
（電子黒板システム１０のシステム構成）
【００１０】
図１は、本発明の一実施形態に係る電子黒板システム１０のシステム構成を示す図である。図１に示すように、電子黒板システム１０は、会議サーバ１２、会議予約サーバ１４、および複数のＩＷＢ（Interactive White Board）１００を備えており、これら複数の装置が、インターネット等のネットワーク１６に接続されて構成されている。電子黒板システム１０は、これら複数の装置により、複数の拠点間でいわゆるテレビ会議を行うことができるようになっている。
【００１１】
会議サーバ１２は、テレビ会議に関する各種制御を行う。例えば、会議サーバ１２は、テレビ会議の開始時においては、各ＩＷＢ１００と会議サーバ１２との通信接続状態の監視、各ＩＷＢ１００に対する呼び出し等を行う。また、会議サーバ１２は、テレビ会議中においては、複数のＩＷＢ１００の間における各種データ（例えば、映像データ、音声データ、描画データ等）の転送処理等を行う。
【００１２】
会議予約サーバ１４は、テレビ会議の予約状況を管理する。具体的には、会議予約サーバ１４は、外部の情報処理装置（例えば、ＰＣ（（Personal Computer））等）からネットワーク１６を介して入力された会議情報を管理する。会議情報には、開催日時、場所、参加者、役割、使用端末等が含まれている。電子黒板システム１０は、会議予約サーバ１４によって管理されている会議情報に基づいて、テレビ会議を行う。
【００１３】
ＩＷＢ１００は、「電子黒板」の一例である。ＩＷＢ１００は、テレビ会議が行われる各拠点に設置され、テレビ会議の参加者によって使用される。例えば、ＩＷＢ１００は、テレビ会議の参加者から入力された各種データ（例えば、映像データ、音声データ、描画データ等）を、ネットワーク１６および会議サーバ１２を介して、他のＩＷＢ１００へ送信することができる。また、例えば、ＩＷＢ１００は、他のＩＷＢ１００から送信されてきた各種データを、出力することにより、テレビ会議の参加者へ呈示することができる。
【００１４】
（ＩＷＢ１００の構成）
図２は、本発明の一実施形態に係るＩＷＢ１００の外観を示す図である。図２に示すように、ＩＷＢ１００は、本体５Ａの前面に、カメラ１０１、タッチパネル・ディスプレイ１０２、マイク１０３、およびスピーカ１０４を備えている。
【００１５】
カメラ１０１は、当該ＩＷＢ１００の周囲の映像を撮像する。タッチパネル・ディスプレイ１０２は、ディスプレイとタッチパネルとを備えた装置である。タッチパネル・ディスプレイ１０２は、ディスプレイにより、各種情報（例えば、映像データ、描画データ等）を表示することができる。また、タッチパネル・ディスプレイ１０２は、タッチパネルにより、操作体１５０（例えば、指、ペン等）の接触操作により、各種情報（例えば、文字、図形、画像等）の入力を行うことができる。ディスプレイとしては、例えば、液晶ディスプレイ、有機ＥＬディスプレイ、電子ペーパー等を用いることができる。タッチパネルとしては、例えば、静電容量方式のタッチパネルを用いることができる。マイク１０３は、当該ＩＷＢ１００の周囲の音声を取得する。スピーカ１０４は、各種音声（例えば、テレビ会議の参加者の音声）を出力する。
【００１６】
このように構成されたＩＷＢ１００は、カメラ１０１によって撮像された映像、タッチパネル・ディスプレイ１０２によって入力された情報、および、マイク１０３によって取得された音声を、会議サーバ１２を介して他のＩＷＢ１００へ送信することにより、これらの情報を他のＩＷＢ１００と共有することができる。また、ＩＷＢ１００は、他のＩＷＢ１００から送信された各種情報（例えば、映像データ、描画データ等）を、タッチパネル・ディスプレイ１０２によって表示、および、スピーカ１０４によって音声出力することにより、これらの情報を他のＩＷＢ１００と共有することができる。
【００１７】
図２に示す例では、タッチパネル・ディスプレイ１０２において、複数の表示領域１０２Ａ，１０２Ｂを有する表示レイアウトが表示されている。表示領域１０２Ａは、描画領域であり、操作体１５０によって描画された情報が表示される。表示領域１０２Ｂは、カメラ１０１によって撮像された自拠点の映像が表示される。なお、タッチパネル・ディスプレイ１０２は、他のＩＷＢ１００から送信された他拠点の映像を表示することも可能である。
【００１８】
（ＩＷＢ１００のハードウェア構成）
図３は、本発明の一実施形態に係るＩＷＢ１００のハードウェア構成を示す図である。図３に示すように、ＩＷＢ１００は、図２で説明したカメラ１０１、タッチパネル・ディスプレイ１０２、マイク１０３、およびスピーカ１０４に加えて、ＣＰＵ１０５、補助記憶装置１０６、メモリ１０７、通信Ｉ／Ｆ（Inter Face）１０８、操作部１０９、および連結部１１０を備える。
【００１９】
ＣＰＵ１０５は、補助記憶装置１０６またはメモリ１０７に記憶されている各種プログラムを実行することにより、ＩＷＢ１００の各種制御を行う。例えば、ＣＰＵ１０５は、ＩＷＢ１００が備える各種ハードウェアの制御、ＩＷＢ１００が備えるテレビ会議に関する各種機能の実行制御を行う。
【００２０】
例えば、ＣＰＵ１０５は、テレビ会議に関する基本的な機能として、カメラ１０１によって撮像された映像データ、タッチパネル・ディスプレイ１０２によって入力された描画データ、および、マイク１０３によって取得された音声データを、通信Ｉ／Ｆ１０８を介して、他のＩＷＢ１００へ送信する。
【００２１】
また、例えば、ＣＰＵ１０５は、他のＩＷＢ１００から送信された映像データ、描画データ、音声データを、通信Ｉ／Ｆ１０８を介して取得する。そして、ＣＰＵ１０５は、取得された映像データおよび描画データを、タッチパネル・ディスプレイ１０２に表示させ、取得された音声データを、スピーカ１０４に音声出力させる。
【００２２】
なお、ＣＰＵ１０５は、他のＩＷＢ１００へ送信される各種データをエンコードし、他のＩＷＢ１００から受信した各種データをデコードする、ＣＯＤＥＣ機能を有する。ＣＰＵ１０５によって使用される符号化方式としては、例えば、ＶＰ８、ＶＰ９、Ｈ.２６４/ＡＶＣ、Ｈ.２６４/ＳＶＣ、Ｈ.２６５等が挙げられる。
【００２３】
補助記憶装置１０６は、ＣＰＵ１０５により実行される各種プログラム、ＣＰＵ１０５が各種プログラムを実行するために必要なデータ等を記憶する。補助記憶装置１０６としては、例えば、フラッシュメモリ、ＨＤＤ等の、不揮発性の記憶装置が用いられる。
【００２４】
メモリ１０７は、ＣＰＵ１０５が各種プログラムを実行する際に利用する一時記憶領域として機能する。メモリ１０７としては、例えば、ＤＲＡＭ（Dynamic Random Access Memory）、ＳＲＡＭ（Static Random Access Memory）等の、揮発性の記憶装置が用いられる。
【００２５】
通信Ｉ／Ｆ１０８は、ネットワーク１６に接続し、ネットワーク１６を介して他のＩＷＢ１００との間で各種データの送受信を行うためのインタフェースである。通信Ｉ／Ｆ１０８としては、例えば、１０Ｂａｓｅ−Ｔ，１００Ｂａｓｅ−ＴＸ，１０００Ｂａｓｅ−Ｔ等に対応した有線ＬＡＮインタフェース、ＩＥＥＥ８０２．１１ａ／ｂ／ｇ／ｎ等に対応した無線ＬＡＮインタフェース等、を用いることができる。
【００２６】
操作部１０９は、各種入力を行うためにユーザによって操作される。操作部１０９としては、例えば、キーボード、マウス、スイッチ等が用いられる。
【００２７】
連結部１１０は、当該ＩＷＢ１００を、他のＩＷＢ１００に連結する。連結部１１０としては、例えば、メカ的な嵌合により連結するコネクタ、磁石からの磁力により連結するコネクタ等が考えられる。
【００２８】
（ＩＷＢ１００の機能構成）
図４は、本発明の一実施形態に係るＩＷＢ１００の機能構成を示す図である。なお、ここでは、一の拠点に設置された２台のＩＷＢ１００Ａ，１００Ｂの各々の機能について説明する。なお、２つのＩＷＢ１００Ａ，１００Ｂは、互いに連結することが可能である。
【００２９】
＜ＩＷＢ１００Ａの機能＞
図４に示すように、ＩＷＢ１００Ａは、映像取得部１２１、検出部１２２、切替部１２３、表示制御部１２４、および映像送信部１２５を備えている。
【００３０】
映像取得部１２１は、ＩＷＢ１００Ａが備えるカメラ１０１によって撮像された映像を取得する。
【００３１】
検出部１２２は、連結部１１０によってＩＷＢ１００ＡにＩＷＢ１００Ｂが連結されたことを検出する。また、検出部１２２は、ＩＷＢ１００Ｂの連結が解除されたことを検出する。
【００３２】
切替部１２３は、検出部１２２によってＩＷＢ１００Ｂの連結が検出された場合、映像取得部１２１によって取得された映像の出力先を、ＩＷＢ１００Ｂに切り替える。また、切替部１２３は、検出部１２２によってＩＷＢ１００Ｂの連結の解除が検出された場合、映像取得部１２１によって取得された映像の出力先を、ＩＷＢ１００Ａが備えるタッチパネル・ディスプレイ１０２に切り替える。
【００３３】
表示制御部１２４は、切替部１２３によって映像の出力先が、ＩＷＢ１００Ａが備えるタッチパネル・ディスプレイ１０２に切り替えられた場合、映像取得部１２１によって取得された映像を、ＩＷＢ１００Ａが備えるタッチパネル・ディスプレイ１０２に表示させる。
【００３４】
映像送信部１２５は、切替部１２３によって映像の出力先がＩＷＢ１００Ｂに切り替えられた場合、映像取得部１２１によって取得された映像を、通信Ｉ／Ｆ１０８を介して、ＩＷＢ１００Ｂへ送信する。
【００３５】
＜ＩＷＢ１００Ｂの機能＞
図４に示すように、ＩＷＢ１００Ｂは、映像取得部１３１、映像受信部１３２、検出部１３３、切替部１３４、および表示制御部１３５を備えている。
【００３６】
映像取得部１３１は、ＩＷＢ１００Ｂが備えるカメラ１０１によって撮像された映像を取得する。
【００３７】
映像受信部１３２は、ＩＷＢ１００Ａから送信された映像を、通信Ｉ／Ｆ１０８を介して受信する。
【００３８】
検出部１３３は、連結部１１０によって当該ＩＷＢ１００ＢがＩＷＢ１００Ａに連結されたことを検出する。また、検出部１３３は、ＩＷＢ１００Ａへの連結が解除されたことを検出する。
【００３９】
切替部１３４は、検出部１３３によってＩＷＢ１００Ａへの連結が検出された場合、タッチパネル・ディスプレイ１０２による映像の表示モードを、「第１の表示モード」に切り替える。また、切替部１２３は、検出部１３３によってＩＷＢ１００Ａへの連結の解除が検出された場合、タッチパネル・ディスプレイ１０２による映像の表示モードを、「第２の表示モード」に切り替える。
【００４０】
表示制御部１３５は、切替部１３４によって「第１の表示モード」に切り替えられた場合、映像取得部１３１によって取得された映像と、映像受信部１３２によって受信された映像とを、ＩＷＢ１００Ｂが備えるタッチパネル・ディスプレイ１０２に表示させる。また、表示制御部１３５は、切替部１３４によって「第２の表示モード」に切り替えられた場合、映像取得部１３１によって取得された映像を、ＩＷＢ１００Ｂが備えるタッチパネル・ディスプレイ１０２に表示させる。
【００４１】
なお、上記したＩＷＢ１００Ａ，１００Ｂの各機能は、例えば、ＩＷＢ１００Ａ，１００Ｂにおいて、補助記憶装置１０６に記憶されたプログラムを、ＣＰＵ１０５が実行することにより実現される。このプログラムは、予めＩＷＢ１００Ａ，１００Ｂに導入された状態で提供されてもよく、外部から提供されてＩＷＢ１００Ａ，１００Ｂに導入されるようにしてもよい。後者の場合、このプログラムは、外部記憶媒体（例えば、ＵＳＢメモリ、メモリカード、ＣＤ−ＲＯＭ等）によって提供されてもよく、ネットワーク（例えば、インターネット等）上のサーバからダウンロードすることによって提供されるようにしてもよい。
【００４２】
（ＩＷＢ１００Ａによる処理の手順）
図５は、本発明の一実施形態に係るＩＷＢ１００Ａによる処理の手順を示すフローチャートである。
【００４３】
まず、ＩＷＢ１００Ｂが連結されていない状態で、テレビ会議が開始されると（ステップＳ５０１）、映像取得部１２１が、ＩＷＢ１００Ａが備えるカメラ１０１によって撮像された映像を取得する（ステップＳ５０２）。そして、表示制御部１２４が、ステップＳ５０２で取得された映像を、ＩＷＢ１００Ａが備えるタッチパネル・ディスプレイ１０２に表示させる（ステップＳ５０３）。
【００４４】
次に、検出部１２２が、ＩＷＢ１００Ｂが連結されたことを検出したか否かを判断する（ステップＳ５０４）。ステップＳ５０４において、ＩＷＢ１００Ｂが連結されたことを検出していないと判断された場合（ステップＳ５０４：Ｎｏ）、ＩＷＢ１００Ａは、ステップＳ５０２へ処理を戻す。
【００４５】
一方、ステップＳ５０４において、ＩＷＢ１００Ｂが連結されたことを検出したと判断された場合（ステップＳ５０４：Ｙｅｓ）、切替部１２３が、映像取得部１２１によって取得された映像の出力先を、ＩＷＢ１００Ｂに切り替える（ステップＳ５０５）。
【００４６】
その後、映像取得部１２１が、ＩＷＢ１００Ａが備えるカメラ１０１によって撮像された映像を取得すると（ステップＳ５０６）、映像送信部１２５が、ステップＳ５０６で取得された映像を、通信Ｉ／Ｆ１０８を介して、ＩＷＢ１００Ｂへ送信する（ステップＳ５０７）。
【００４７】
続いて、検出部１２２が、ＩＷＢ１００Ｂの連結が解除されたことを検出したか否かを判断する（ステップＳ５０８）。ステップＳ５０８において、ＩＷＢ１００Ｂの連結が解除されたことを検出していないと判断された場合（ステップＳ５０８：Ｎｏ）、ＩＷＢ１００Ａは、ステップＳ５０６へ処理を戻す。
【００４８】
一方、ステップＳ５０８において、ＩＷＢ１００Ｂの連結が解除されたことを検出したと判断された場合（ステップＳ５０８：Ｙｅｓ）、切替部１２３が、映像取得部１２１によって取得された映像の出力先を、ＩＷＢ１００Ａが備えるタッチパネル・ディスプレイ１０２に切り替える（ステップＳ５０９）。そして、ＩＷＢ１００Ａは、ステップＳ５０２へ処理を戻す。
【００４９】
（ＩＷＢ１００Ｂによる処理の手順）
図６は、本発明の一実施形態に係るＩＷＢ１００Ｂによる処理の手順を示すフローチャートである。
【００５０】
まず、ＩＷＢ１００Ａに連結されていない状態で、テレビ会議が開始されると（ステップＳ６０１）、映像取得部１３１が、ＩＷＢ１００Ｂが備えるカメラ１０１によって撮像された映像を取得する（ステップＳ６０２）。そして、表示制御部１３５が、ステップＳ６０２で取得された映像を、ＩＷＢ１００Ｂが備えるタッチパネル・ディスプレイ１０２に表示させる（ステップＳ６０３）。
【００５１】
次に、検出部１３３が、ＩＷＢ１００Ａに連結されたことを検出したか否かを判断する（ステップＳ６０４）。ステップＳ６０４において、ＩＷＢ１００Ａに連結されたことを検出していないと判断された場合（ステップＳ６０４：Ｎｏ）、ＩＷＢ１００Ｂは、ステップＳ６０２へ処理を戻す。
【００５２】
一方、ステップＳ６０４において、ＩＷＢ１００Ａに連結されたことを検出したと判断された場合（ステップＳ６０４：Ｙｅｓ）、切替部１３４が、タッチパネル・ディスプレイ１０２による映像の表示モードを、「第１の表示モード」に切り替える。（ステップＳ６０５）。
【００５３】
その後、映像取得部１３１が、ＩＷＢ１００Ｂが備えるカメラ１０１によって撮像された映像を取得し（ステップＳ６０６）、同時に、映像受信部１３２が、ＩＷＢ１００Ａから送信された映像を、通信Ｉ／Ｆ１０８を介して受信すると（ステップＳ６０７）、表示制御部１３５が、ステップＳ６０６で取得された映像と、ステップＳ６０７で受信された映像とを、ＩＷＢ１００Ｂが備えるタッチパネル・ディスプレイ１０２に表示させる（ステップＳ６０８）。
【００５４】
続いて、検出部１３３が、ＩＷＢ１００Ａへの連結が解除されたことを検出したか否かを判断する（ステップＳ６０９）。ステップＳ６０９において、ＩＷＢ１００Ａへの連結が解除されたことを検出していないと判断された場合（ステップＳ６０９：Ｎｏ）、ＩＷＢ１００Ｂは、ステップＳ６０６へ処理を戻す。
【００５５】
一方、ステップＳ６０９において、ＩＷＢ１００Ａへの連結が解除されたことを検出したと判断された場合（ステップＳ６０９：Ｙｅｓ）、切替部１２３が、タッチパネル・ディスプレイ１０２による映像の表示モードを、「第２の表示モード」に切り替える（ステップＳ６１０）。そして、ＩＷＢ１００Ｂは、ステップＳ６０２へ処理を戻す。
【００５６】
（ＩＷＢ１００による映像の表示例）
図７および図８は、本発明の一実施形態に係るＩＷＢ１００による映像の表示例を示す図である。
【００５７】
図７は、２台のＩＷＢ１００Ａ，１００Ｂが互いに連結されていない状態における映像の表示例を示す。
【００５８】
図７において、ＩＷＢ１００Ａのタッチパネル・ディスプレイ１０２には、当該ＩＷＢ１００Ａのカメラ１０１によって撮像された映像が、描画領域１０２Ｃに重ねて設けられた、映像領域１０２Ｄに表示される。
【００５９】
また、図７において、ＩＷＢ１００Ｂのタッチパネル・ディスプレイ１０２には、当該ＩＷＢ１００Ｂのカメラ１０１によって撮像された映像が、描画領域１０２Ｅに重ねて設けられた、映像領域１０２Ｆに表示される。
【００６０】
図８は、２台のＩＷＢ１００Ａ，１００Ｂが互いに連結されている状態における映像の表示例を示す。
【００６１】
図８において、ＩＷＢ１００Ａのタッチパネル・ディスプレイ１０２には、当該ＩＷＢ１００Ａのカメラ１０１によって撮像された映像が表示されない。このため、タッチパネル・ディスプレイ１０２における描画領域１０２Ｃの全ての領域において、ユーザによる描画が可能となっている。
【００６２】
一方、図８において、ＩＷＢ１００Ｂのタッチパネル・ディスプレイ１０２には、当該ＩＷＢ１００Ｂのカメラ１０１によって撮像された映像が、描画領域１０２Ｅに重ねて設けられた、映像領域１０２Ｆに表示されるとともに、ＩＷＢ１００Ａのカメラ１０１によって撮像された映像が、描画領域１０２Ｅに重ねて設けられた、映像領域１０２Ｇに表示される。
【００６３】
（ＩＷＢ１００による映像の他の表示例）
図９は、本発明の一実施形態に係るＩＷＢ１００による映像の他の表示例を示す図である。図９は、２台のＩＷＢ１００Ａ，１００Ｂが互いに連結されている状態における映像の表示例を示す。
【００６４】
図９において、ＩＷＢ１００Ａのタッチパネル・ディスプレイ１０２には、当該ＩＷＢ１００Ａのカメラ１０１によって撮像された映像が表示されない。このため、タッチパネル・ディスプレイ１０２における描画領域１０２Ｃの全ての領域において、ユーザによる描画が可能となっている。
【００６５】
一方、図９において、ＩＷＢ１００Ｂのタッチパネル・ディスプレイ１０２には、ＩＷＢ１００Ａのカメラ１０１によって撮像された映像と、ＩＷＢ１００Ｂのカメラ１０１によって撮像された映像とが、互いに合成されて、描画領域１０２Ｅに重ねて設けられた、映像領域１０２Ｈに表示されている。映像の合成方法としては、例えば、スティッチングを用いることができる。
【００６６】
図９に示す例では、ＩＷＢ１００Ｂのタッチパネル・ディスプレイ１０２には、２つの映像が、１つの映像に合成されて描画領域１０２Ｅに重ねて表示されるため、広範囲な映像を表示できるとともに、描画領域１０２Ｅにおける描画可能なスペースの減少を抑制することができる。
【００６７】
（ＩＷＢ１００Ａ，１００Ｂによる連結の検出方法）
ＩＷＢ１００Ａ，１００Ｂは、互いに連結できるようになっている。そして、ＩＷＢ１００Ａ，１００Ｂは、互いに連結されると、検出部１２２，１３３（図４参照）によって、当該連結を検出できるようになっている。
【００６８】
例えば、ＩＷＢ１００Ａ，１００Ｂが、各々の連結部１１０によって互いに連結されると、ＩＷＢ１００Ａにおいて、検出部１２２が、当該連結を検出し、その結果を切替部１２３へ出力する。切替部１２３は、検出部１２２の出力結果に基づいて、スイッチを切り替える等により、ＩＷＢ１００Ａが備えるカメラ１０１によって撮像された映像の出力先を、ＩＷＢ１００Ｂに切り替える。これにより、ＩＷＢ１００Ａが備えるカメラ１０１によって撮像された映像が、ＩＷＢ１００Ｂのタッチパネル・ディスプレイ１０２に表示されることとなる。
【００６９】
なお、検出部１２２，１３３による連結の検出方法としては、例えば、以下に示す方法が挙げられる。
【００７０】
・赤外線による検出
例えば、ＩＷＢ１００Ａ，１００Ｂの一方の連結部１１０の近傍に、赤外線照射部を設け、ＩＷＢ１００Ａ，１００Ｂの他方の連結部１１０の近傍に、赤外線受信部を設ける。そして、ＩＷＢ１００Ａ，１００Ｂが、各々の連結部１１０によって互いに連結されると、赤外線照射部から照射された赤外線を、赤外線受信部によって受信できるようにする。これにより、ＩＷＢ１００Ａ，１００Ｂが互いに連結されたことを検出する。
【００７１】
・電気的に検出
例えば、ＩＷＢ１００Ａ，１００Ｂの一方の連結部１１０に、連結を検出するための検出信号の通信用のＩ／Ｏを割り当てる。そして、ＩＷＢ１００Ａ，１００Ｂが、各々の連結部１１０によって互いに連結されると、その検出信号の電気的な極性が反転するようにする。これにより、ＩＷＢ１００Ａ，１００Ｂが互いに連結されたことを検出する。
【００７２】
・ユーザが連結を明示
例えば、ＩＷＢ１００Ａ，１００Ｂの一方または双方に、ハードウェアスイッチ（例えば、マルチプレクサ等）またはソフトウエアスイッチを設ける。そして、ＩＷＢ１００Ａ，１００Ｂが、各々の連結部１１０によって互いに連結されると、ユーザがそのスイッチの切り替えを行うようにする。これにより、ＩＷＢ１００Ａ，１００Ｂが互いに連結されたことを検出する。この場合、ＩＷＢ１００Ａ，１００Ｂが互いに連結された場合であっても、ユーザがスイッチを切り替えなければ、非連結時と同様に、ＩＷＢ１００Ａ，１００Ｂの各々に映像を表示することができる。
【００７３】
なお、ＩＷＢ１００Ａ，１００Ｂが互いに連結されたことの検出方法は、上記した方法に限らず、如何なる検出方法を用いてもよい。
【００７４】
以上説明したように、本実施形態のＩＷＢ１００Ａ，１００Ｂは、互いに連結されたとき、ＩＷＢ１００Ａのカメラ１０１によって撮像された映像が、ＩＷＢ１００Ｂのタッチパネル・ディスプレイ１０２に表示されることとなる。すなわち、ＩＷＢ１００Ａのタッチパネル・ディスプレイ１０２には、当該ＩＷＢ１００Ａのカメラ１０１によって撮像された映像が表示されない。このため、本実施形態のＩＷＢ１００Ａ，１００Ｂによれば、ＩＷＢ１００Ａの描画領域１０２Ｃにおいて、映像によって描画が妨げられてしまうことを回避することができ、よって、広大な描画スペースを確保することができる。
【００７５】
以上、本発明の好ましい実施形態について詳述したが、本発明はこれらの実施形態に限定されるものではなく、特許請求の範囲に記載された本発明の要旨の範囲内において、種々の変形又は変更が可能である。
【００７６】
例えば、図７および図８に示す例では、ＩＷＢ１００Ａのカメラ１０１によって撮像された映像を、ＩＷＢ１００Ｂのカメラ１０１によって撮像された映像とともに、ＩＷＢ１００Ｂのタッチパネル・ディスプレイ１０２に表示しているが、これに限らない。
【００７７】
例えば、ＩＷＢ１００ＡがＩＷＢ１００Ｂに接続されていない状態において、他の拠点のＩＷＢ１００からＩＷＢ１００Ａに送信された映像を、ＩＷＢ１００Ａのタッチパネル・ディスプレイ１０２に表示し、ＩＷＢ１００ＡがＩＷＢ１００Ｂに接続された状態において、他の拠点のＩＷＢ１００からＩＷＢ１００Ａに送信された映像を、ＩＷＢ１００Ｂのタッチパネル・ディスプレイ１０２に表示するようにしてもよい。
【００７８】
また、例えば、ＩＷＢ１００Ａ，１００Ｂが互いに接続された状態において、ＩＷＢ１００Ａのカメラ１０１によって撮像された映像、または、ＩＷＢ１００Ｂのカメラ１０１によって撮像された映像のいずれか一方を、ＩＷＢ１００Ｂのタッチパネル・ディスプレイ１０２に表示するようにしてもよい。
【００７９】
また、例えば、ＩＷＢ１００Ａ，１００Ｂが互いに接続された状態において、ＩＷＢ１００Ｂのカメラ１０１によって撮像された映像を、ＩＷＢ１００Ａのカメラ１０１によって撮像された映像とともに、ＩＷＢ１００Ａのタッチパネル・ディスプレイ１０２に表示するようにしてもよい。
【００８０】
また、例えば、ＩＷＢ１００Ａ，１００Ｂが互いに接続された状態において、ＩＷＢ１００Ａのカメラ１０１によって撮像された映像と、ＩＷＢ１００Ｂのカメラ１０１によって撮像された映像とを、ＩＷＢ１００ＡまたはＩＷＢ１００Ｂのいずれに表示するかを、ユーザが選択できるようにしてもよい。
【符号の説明】
【００８１】
１０  電子黒板システム
１２  会議サーバ
１４  会議予約サーバ
１６  ネットワーク
１００，１００Ａ，１００Ｂ  ＩＷＢ（電子黒板）
１０１  カメラ（撮像部）
１０２  タッチパネル・ディスプレイ（表示部）
１０３  マイク
１０４  スピーカ
１１０  連結部
１２１  映像取得部
１２２  検出部
１２３  切替部
１２４  表示制御部
１２５  映像送信部
１３１  映像取得部
１３２  映像受信部
１３３  検出部
１３４  切替部
１３５  表示制御部
【先行技術文献】
【特許文献】
【００８２】
【特許文献１】特表２０１０−５１５１９５号公報
【図１】
2019165277.tif 000003
【図２】
2019165277.tif 000004
【図３】
2019165277.tif 000005
【図４】
2019165277.tif 000006
【図５】
2019165277.tif 000007
【図６】
2019165277.tif 000008
【図７】
2019165277.tif 000009
【図８】
2019165277.tif 000010
【図９】
2019165277.tif 000011